(57)【要約】【解決手段】かばん用携帯具１は、かばんに連結される連結部２と、連結部２に連結される肩掛け３とを備えている。連結部２は、かばんの取っ手に筒状に巻いて面フャスナー５，６で着脱可能に連結される巻体部４を有している。筒状に巻いた巻体部４内の収容部７に肩掛け３を収容し、筒状に巻いた巻体部４を開いて収容部７から肩掛け３を取り出し得る。肩掛け３の不使用時、巻体部４に肩掛け３を収容したかばん用携帯具１をかばんから取り外した状態で保管する。【効果】かばんを持ち運ぶ場合に便利であるばかりではなく、かばん用携帯具１が嵩張らず整理整頓良く保管される。かばんに対するかばん用携帯具１の着脱が容易になる。【選択図】図１
2004041338.tif 000002
【特許請求の範囲】
【請求項１】
かばんに対し着脱可能に連結される連結部と、この連結部に対し連結される肩掛けとを備えたかばん用携帯具において、この肩掛けを収容し得る収容部を備え、この収容部からこの肩掛けを取り出し得ることを特徴とするかばん用携帯具。
【請求項２】
前記収容部は前記連結部に設けられていることを特徴とする請求項１に記載のかばん用携帯具。
【請求項３】
かばんに対し連結される連結部と、この連結部に対し連結される肩掛けとを備えたかばん用携帯具において、この連結部は、かばんに設けた取っ手に対し筒状に巻いて着脱可能に連結される巻体部を有していることを特徴とするかばん用携帯具。
【請求項４】
かばんに対し連結される連結部と、この連結部に対し連結される肩掛けとを備えたかばん用携帯具において、この連結部は、かばんに設けた取っ手に対し筒状に巻いて着脱可能に連結される巻体部を有し、筒状に巻いた巻体部内の収容部にこの肩掛けを収容し、筒状に巻いた巻体部内の収容部からこの肩掛けを取り出し得ることを特徴とするかばん用携帯具。
【発明の詳細な説明】
【０００１】
【発明の属する技術分野】
本発明は、かばんを持ち運びする場合に肩に掛けて使用するかばん用携帯具に関するものである。
【０００２】
【従来の技術】
従来のかばんとしては、肩掛けを有するものが知られている。肩掛けはその両端部でかばんの両側に対し着脱可能に連結されている。
【０００３】
【発明が解決しようとする課題】
この肩掛けを必要としない場合に折畳んでかばん内に保管すると、かばんを持ち運ぶ場合に便利ではあるが、折畳んだ肩掛けがかばん内で不用意に広がって嵩張るとともに整理整頓良く保管することが難しくなる。そこで、肩掛けを袋に入れたり、かばん内のポケットに余裕があればそのポケットに肩掛けを入れたりして、かばん内に肩掛けを保管する必要があった。また、かばん内に肩掛けを保管しない場合には、適当な保管場所を捜して肩掛けを保管しなければならないが、その場合にも折畳んだ肩掛けが不用意に広がって嵩張るとともに整理整頓良く保管することが難しくなる。さらに、肩掛けの両端部をそれぞれかばんの両側に対し着脱する必要があるために不便であった。
【０００４】
この発明は、かばんを持ち運ぶ場合に便利にするばかりではなく、かばん用携帯具を保管する場合にも便利にするとともに、かばんに対するかばん用携帯具の着脱を容易にすることを目的としている。
【０００５】
【課題を解決するための手段及び発明の効果】
後記実施形態の図面（図１〜２）の符号を援用して本発明を説明する。
＊　請求項１及び請求項２の発明
請求項１の発明にかかるかばん用携帯具（１）は、下記のように構成されている。
【０００６】
このかばん用携帯具（１）は、かばん（８）例えばその取っ手（８ａ）に対し着脱部（面フャスナー５，６）で着脱可能に連結される連結部（２）と、この連結部（２）に対し連結される肩掛け（３）とを備え、この肩掛け（３）を収容し得る収容部（７）を有し、この収容部（７）からこの肩掛け（３）を取り出し得る。
【０００７】
請求項２の発明においては、請求項１の発明にかかる収容部（７）が連結部（２）に設けられている。
請求項１及び請求項２の発明では、肩掛け（３）の不使用時、連結部（２）をかばん（８）から離脱させ、例えば連結部（２）に設けた収容部（７）に肩掛け（３）を収容し得る。そのため、肩掛け（３）を収容したかばん用携帯具（１）をかばん（８）から取り外した状態でかばん（８）内やかばん（８）以外の場所に保管することができる。従って、かばん（８）を持ち運ぶ場合に便利であるばかりではなく、かばん用携帯具（１）がかばん（８）内やかばん（８）以外の場所で嵩張らず、しかも整理整頓良く保管され、かばん用携帯具（１）を保管する場合に便利である。
【０００８】
＊　請求項３の発明
請求項３の発明にかかるかばん用携帯具（１）は、下記のように構成されている。
【０００９】
このかばん用携帯具（１）は、かばん（８）に対し連結される連結部（２）と、この連結部（２）に対し連結される肩掛け（３）とを備えている。この連結部（２）は、かばん（８）に設けた取っ手（８ａ）に対し筒状に巻いて着脱部（面フャスナー５，６）で着脱可能に連結される巻体部（４）を有している。
【００１０】
この発明では、かばん用携帯具（１）をかばん（８）から取り外した状態でかばん（８）内等に保管することができ、かばん（８）を持ち運ぶ場合に便利であるばかりではなく、かばん用携帯具（１）をかばん（８）の取っ手（８ａ）に対し巻体部（４）で着脱し得るため、かばん（８）に対するかばん用携帯具（１）の着脱を容易に行うことができる。
【００１１】
＊　請求項４の発明
請求項４の発明にかかるかばん用携帯具（１）は、下記のように構成されている。
【００１２】
このかばん用携帯具（１）は、かばん（８）に対し連結される連結部（２）と、この連結部（２）に対し連結される肩掛け（３）とを備えている。この連結部（２）は、かばん（８）に設けた取っ手（８ａ）に対し筒状に巻いて着脱部（面フャスナー５，６）で着脱可能に連結される巻体部（４）を有している。筒状に巻いた巻体部（４）内の収容部（７）にこの肩掛け（４）を収容し、筒状に巻いた巻体部（４）を開いて収容部（７）からこの肩掛け（３）を取り出し得る。この連結部（２）が肩掛け（３）の収容バッグとして機能する。
【００１３】
この発明では、肩掛け（３）の不使用時、連結部（２）の巻体部（４）をかばん（８）から離脱させてその巻体部（４）の収容部（７）に肩掛け（３）を収容し得る。そのため、連結部（２）の巻体部（４）に肩掛け（３）を収容したかばん用携帯具（１）をかばん（８）から取り外した状態でかばん（８）内やかばん（８）以外の場所に保管することができる。従って、かばん（８）を持ち運ぶ場合に便利であるばかりではなく、かばん用携帯具（１）がかばん（８）内やかばん（８）以外の場所で嵩張らず、しかも整理整頓良く保管され、かばん用携帯具（１）を保管する場合に便利であるとともに、かばん用携帯具（１）をかばん（８）の取っ手（８ａ）に対し巻体部（４）で着脱し得るため、かばん（８）に対するかばん用携帯具（１）の着脱を容易に行うことができる。また、巻体部（４）で収容部（７）を兼用しているので、連結部（２）を簡単な構成にすることができる。
【００１４】
＊　第５の発明
第５の発明において、請求項４の発明にかかる巻体部（４）は、筒状に巻いた状態で相対向する辺部（４ａ，４ｂ）に着脱部（５，６）を有している。この発明では、巻体部（４）の着脱部（５，６）を簡単な構成にすることができる。
【００１５】
＊　第６の発明
第６の発明において、第５の発明にかかる肩掛け（３）は、巻体部（４）を筒状に巻いた状態で環状をなす両端の辺部（４ｃ，４ｄ）に連結されて環状をなしている。この発明では、肩掛け（３）を連結した巻体部（４）を簡単な構成にすることができる。
【００１６】
【発明の実施の形態】
以下、本実施形態にかかるかばん用携帯具について図１〜２を参照して説明する。
【００１７】
図１（ａ）（ｂ）に示すかばん用携帯具１は連結部２と肩掛け３とを備えている。この連結部２においては、柔軟材からなる巻体部４を平坦に広げた状態で矩形状を形取る四つの辺部４ａ，４ｂ，４ｃ，４ｄを有し、この巻体部４を筒状に巻くことができる。この巻体部４を筒状に巻いた状態で相対向する二辺部４ａ，４ｂのうち、一方の辺部４ａの表側と他方の辺部４ｂの裏側とにそれぞれ着脱部としての面ファスナー５，６が取着されている。なお、この着脱部としては、面ファスナー５，６以外に、ボタンやホックやチャックなどを採用してもよい。この巻体部４を筒状に巻いた状態で環状をなす両端の辺部４ｃ，４ｄには帯状の肩掛け３がその両端部３ａ，３ｂで連結されて環状をなす。この肩掛け３は長さ調節を行うことができる。上記二辺部４ａ，４ｂを重合させた状態でこれらの面ファスナー５，６を互いに取着すると、巻体部４を筒状に巻いた状態を保持することができ、この巻体部４内には両端で開放された収容部７を形成することができる。これらの面ファスナー５，６を互いに離脱させると、上記二辺部４ａ，４ｂが離間して巻体部４を平坦に広げることができる。
【００１８】
図２（ａ）に示すかばん８は一対の取っ手８ａを備えている。図１（ｂ）に示すように開いた前記連結部２をこの両取っ手８ａの内側に通した状態で、連結部２の巻体部４を両取っ手８ａに対し筒状に巻き、二辺部４ａ，４ｂを重合してそれらの面ファスナー５，６を互いに取着すると、連結部２が両取っ手８ａに連結されてかばん用携帯具１がかばん８に取り付けられる。この連結部２から延びる肩掛け３を肩に掛けてかばん８を携帯することができる。かばん用携帯具１を必要としない場合には、図１（ｂ）に示すように連結部２を開いて両取っ手８ａから取り外し、連結部２の巻体部４に肩掛け３を折畳んだ状態で、図１（ａ）に示すように二辺部４ａ，４ｂを重合してそれらの面ファスナー５，６を互いに取着すると、肩掛け３が巻体部４の収容部７に収容される。このようにしてコンパクト化したかばん用携帯具１をかばん８内等に保管することができる。
【００１９】
また、図２（ｂ）に示すように、一つの取っ手８ａを有するかばん８等において連結部２を取っ手８ａの内側に通すことができない場合には、取っ手８ａに肩掛け３を結んでかばん用携帯具１をかばん８に取り付ける。
【００２０】
なお、図示しないが、かばん用携帯具の連結部としては着脱部と収容部とを別々に設けてもよいし、かばん用携帯具の肩掛けに収容部を設けてもよい。
【図面の簡単な説明】
【図１】（ａ）は本実施形態にかかるかばん用携帯具において肩掛けの収容状態を示す斜視図であり、（ｂ）は同じく肩掛けの取り出し状態を示す斜視図である。
【図２】本実施形態にかかるかばん用携帯具の使用状態を示す斜視図である。
【符号の説明】
１…かばん用携帯具、２…連結部、３…肩掛け、４…巻体部、５，６…面フャスナー（着脱部）、７…収容部、８…かばん、８ａ…取っ手。
【図１】
2004041338.tif 000003
【図２】
2004041338.tif 000004